(57)【要約】【課題】簡単な構成で、施工時の不要な時間の発生を抑えつつ、保管時の電池の消費をより抑えることができる吐水装置を提供する。【解決手段】水を吐出する吐水口を有する吐水部と、給水源から吐水口に水を導く給水路と、給水路を開閉する開閉弁と、対象物の検知を行うセンサ部と、センサ部の検知結果に応じて開閉弁を開閉駆動する制御部と、開閉弁、センサ部、及び制御部のそれぞれに給電する電池と、を備え、センサ部は、制御部から取り外された状態から制御部に接続可能であり、制御部に接続信号を送信する接続信号送信モードを有し、電池からの給電に応じて接続信号送信モードになり、制御部は、接続信号の受信を待機し、接続信号の受信に応答して接続応答信号をセンサ部に送信する接続信号受信モードを有し、電池からの給電に応じて接続信号受信モードになることを特徴とする吐水装置である。【選択図】図２
2020007845.tif 000002
【特許請求の範囲】
【請求項１】
水を吐出する吐水口を有する吐水部と、
給水源から前記吐水口に水を導く給水路と、
前記給水路を開閉する開閉弁と、
対象物の検知を行うセンサ部と、
前記センサ部と分離して設けられ、前記センサ部の検知結果に応じて前記開閉弁を開閉駆動する制御部と、
前記開閉弁、前記センサ部、及び前記制御部のそれぞれに給電する電池と、
を備え、
前記センサ部は、前記制御部から取り外された状態から前記制御部に接続可能であり、前記制御部に接続信号を送信する接続信号送信モードを有し、前記電池からの給電に応じて前記接続信号送信モードになり、
前記制御部は、前記接続信号の受信を待機し、前記接続信号の受信に応答して接続応答信号を前記センサ部に送信する接続信号受信モードを有し、前記電池からの給電に応じて前記接続信号受信モードになることを特徴とする吐水装置。
【請求項２】
前記開閉弁を開いた際に、前記給水路を流れる水の流れを利用して発電を行う発電部と、
前記発電部で発電された電力を蓄電し、前記開閉弁、前記センサ部、及び前記制御部のそれぞれに給電する蓄電部と、
をさらに備え、
前記電池は、前記蓄電部と接続され、前記蓄電部を充電することにより、前記蓄電部を介して前記開閉弁、前記センサ部、及び前記制御部のそれぞれに給電することを特徴とする請求項１記載の吐水装置。
【請求項３】
前記制御部は、前記センサ部に作動要求を定期的に送信する作動要求送信モードを有し、前記接続応答信号の送信に応答して前記接続信号受信モードから前記作動要求送信モードに遷移し、
前記センサ部は、前記作動要求の受信を待機し、前記作動要求の受信に応答して前記対象物の検知を行い、前記対象物の検知結果を前記制御部に送信する作動要求受信モードを有し、前記接続応答信号の受信に応答して前記接続信号送信モードから前記作動要求受信モードに遷移することを特徴とする請求項１又は２に記載の吐水装置。
【請求項４】
前記制御部は、共通の通信ラインを介して複数の前記センサ部と接続可能であることを特徴とする請求項３記載の吐水装置。
【請求項５】
前記センサ部は、前記接続信号送信モードにおいて、別の前記センサ部が前記制御部と接続されているか否かを前記接続信号送信モードの開始から所定時間監視し、接続されていない場合に、前記制御部に前記接続信号を送信し、接続されている場合に、前記接続信号を送信することなく前記接続信号送信モードから前記作動要求受信モードに遷移することを特徴とする請求項４記載の吐水装置。
【請求項６】
前記制御部は、前記作動要求送信モードにおいて、前記センサ部に前記接続信号を定期的に送信し、
前記センサ部は、前記接続信号を送信することなく前記作動要求受信モードに遷移した場合、前記作動要求受信モードにおいて前記制御部からの前記接続信号を受信し、前記接続信号の受信に応答して前記接続応答信号を前記制御部に送信することを特徴とする請求項５記載の吐水装置。
【請求項７】
前記制御部は、接続された前記センサ部の数が上限に達すると、前記接続信号の送信を停止することを特徴とする請求項６記載の吐水装置。
【発明の詳細な説明】
【技術分野】
【０００１】
本発明の態様は、一般的に、吐水装置に関する。
【背景技術】
【０００２】
使用者の手などの対象物をセンサで検知し、センサの検知に基づいて制御部が電磁弁を駆動することにより、吐止水を自動で制御する吐水装置がある。吐水装置は、電池を有し、吐水装置の各部は、電池からの電力の供給に基づいて動作する。
【０００３】
こうした吐水装置において、例えば、吐水装置の製品出荷時から施工前までは電池を本体から取り外した状態にし、施工時に電池を接続することで、駆動を開始することが行われている。
【０００４】
しかしながら、この方法では、電池寿命を延ばすことができる反面、電池の接続から制御部などの起動までに時間がかかり、施工に不要な時間がかかってしまう場合がある。一方で、予め電池を取り付けた状態で出荷する方法では、起動などにともなう施工時の不要な時間を抑制できる反面、保管している間にも、常に電池寿命が減り続けてしまう。例えば、保管の期間が長かった場合などに、施工から電池交換までの時間が、決められた動作保証時間よりも短くなってしまう可能性がある。
【０００５】
例えば、特許文献１では、予め全ての部品と電池を取り付けた状態で出荷し、センサの検出レベルに基づいて保管されているかを制御部が判断し、保管されている場合はセンサの作動周期を低減することで、電池の消費を抑えることを提案している。これにより、施工時に不要な時間がかかってしまうことを抑制しつつ、保管時に電池寿命が減ってしまうことも抑制することができる。
【０００６】
しかしながら、特許文献１の構成においても、センサ作動分の待機時消費は、常に発生してしまう。そして、センサの作動周期を極端に長くした場合には、施工のタイミングとセンサの作動周期のタイミングとによっては、センサの作動までに時間がかかってしまい、施工に不要な時間がかかってしまう可能性がある。
【０００７】
このように、特許文献１の構成においても、施工時間と電池寿命とのトレードオフについて検討の余地が残されており、吐水装置では、施工時の不要な時間の発生を抑えつつ、保管時の電池の消費をより抑えられるようにすることが望まれている。
【０００８】
例えば、保管時にはセンサを制御部から外しておき、センサを作動させないようにすることも考えられる。これにより、保管時の電池の消費をより確実に抑制することができる。制御部は、センサに対して定期的に作動要求を行う。この際、制御部の消費電力の低減のために作動要求の頻度を落とすと、センサの接続のタイミングによっては最大で通信周期分、作動実施までの時間が必要となるため、施工に不要な時間がかかってしまう。外部スイッチを設け、外部スイッチの入力に応じて作動要求の頻度を基に戻す方法も考えられるが、部品構成要素が増えてしまう。
【先行技術文献】
【特許文献】
【０００９】
【特許文献１】特開２０１２−７２６１９号公報
【発明の概要】
【発明が解決しようとする課題】
【００１０】
本発明は、かかる課題の認識に基づいてなされたものであり、簡単な構成で、施工時の不要な時間の発生を抑えつつ、保管時の電池の消費をより抑えることができる吐水装置を提供することを目的とする。
【課題を解決するための手段】
【００１１】
第１の発明は、水を吐出する吐水口を有する吐水部と、給水源から前記吐水口に水を導く給水路と、前記給水路を開閉する開閉弁と、対象物の検知を行うセンサ部と、前記センサ部と分離して設けられ、前記センサ部の検知結果に応じて前記開閉弁を開閉駆動する制御部と、前記開閉弁、前記センサ部、及び前記制御部のそれぞれに給電する電池と、を備え、前記センサ部は、前記制御部から取り外された状態から前記制御部に接続可能であり、前記制御部に接続信号を送信する接続信号送信モードを有し、前記電池からの給電に応じて前記接続信号送信モードになり、前記制御部は、前記接続信号の受信を待機し、前記接続信号の受信に応答して接続応答信号を前記センサ部に送信する接続信号受信モードを有し、前記電池からの給電に応じて前記接続信号受信モードになることを特徴とする吐水装置である。
【００１２】
この吐水装置によれば、センサ部が接続され、センサ部から接続信号が送信されるまで、制御部を接続信号受信モードにしておくことにより、保管時に制御部から作動要求を定期的に送信する構成などと比べて、制御部をより低消費電力にすることができる。そして、センサ部の接続に応じてセンサ部から接続信号を制御部に送信することにより、施工時に不要な時間が発生してしまうことも抑えることができる。さらに、スイッチなどを別途設ける必要もない。従って、簡単な構成で、施工時の不要な時間の発生を抑えつつ、保管時の電池の消費をより抑えることができる吐水装置を提供することができる。
【００１３】
第２の発明は、第１の発明において、前記開閉弁を開いた際に、前記給水路を流れる水の流れを利用して発電を行う発電部と、前記発電部で発電された電力を蓄電し、前記開閉弁、前記センサ部、及び前記制御部のそれぞれに給電する蓄電部と、をさらに備え、前記電池は、前記蓄電部と接続され、前記蓄電部を充電することにより、前記蓄電部を介して前記開閉弁、前記センサ部、及び前記制御部のそれぞれに給電することを特徴とする吐水装置である。
【００１４】
この吐水装置によれば、保管時にも蓄電部を電池によって充電しておくことができる。従って、蓄電部が設けられている場合にも、施工時に不用な待ち時間が発生してしまうことを抑制することができる。
【００１５】
第３の発明は、第１又は第２の発明において、前記制御部は、前記センサ部に作動要求を定期的に送信する作動要求送信モードを有し、前記接続応答信号の送信に応答して前記接続信号受信モードから前記作動要求送信モードに遷移し、前記センサ部は、前記作動要求の受信を待機し、前記作動要求の受信に応答して前記対象物の検知を行い、前記対象物の検知結果を前記制御部に送信する作動要求受信モードを有し、前記接続応答信号の受信に応答して前記接続信号送信モードから前記作動要求受信モードに遷移することを特徴とする吐水装置である。
【００１６】
この吐水装置によれば、制御部が接続信号受信モードから作動要求送信モードに、センサ部が接続信号送信モードから作動要求受信モードに、それぞれ自動的に遷移することにより、施工者が各モードの切り替えなどを行う必要が無く、施工の作業性をより高めることができる。
【００１７】
第４の発明は、第３の発明において、前記制御部は、共通の通信ラインを介して複数の前記センサ部と接続可能であることを特徴とする吐水装置である。
【００１８】
この吐水装置によれば、制御部に複数のセンサ部を接続可能とすることで、対象物をより正確に検知したり、様々な対象物を検知したりすることを可能にし、吐水装置の機能性をより向上させることができる。
【００１９】
第５の発明は、第４の発明において、前記センサ部は、前記接続信号送信モードにおいて、別の前記センサ部が前記制御部と接続されているか否かを前記接続信号送信モードの開始から所定時間監視し、接続されていない場合に、前記制御部に前記接続信号を送信し、接続されている場合に、前記接続信号を送信することなく前記接続信号送信モードから前記作動要求受信モードに遷移することを特徴とする吐水装置である。
【００２０】
この吐水装置によれば、別のセンサ部の接続によって制御部が既に作動要求送信モードに遷移している場合にも、制御部と複数のセンサ部との間の通信を適切に行うことができる。例えば、新たに接続されたセンサ部からの接続信号が、制御部と複数のセンサ部との間の通信の妨げとなってしまうことを抑制することができる。
【００２１】
第６の発明は、第５の発明において、前記制御部は、前記作動要求送信モードにおいて、前記センサ部に前記接続信号を定期的に送信し、前記センサ部は、前記接続信号を送信することなく前記作動要求受信モードに遷移した場合、前記作動要求受信モードにおいて前記制御部からの前記接続信号を受信し、前記接続信号の受信に応答して前記接続応答信号を前記制御部に送信することを特徴とする吐水装置である。
【００２２】
この吐水装置によれば、作動要求送信モードに遷移した制御部が定期的に接続信号を送信することで、特別な操作を行うことなく、より簡単に複数のセンサ部を制御部に接続することが可能となる。
【００２３】
第７の発明は、第６の発明において、前記制御部は、接続された前記センサ部の数が上限に達すると、前記接続信号の送信を停止することを特徴とする吐水装置である。
【００２４】
この吐水装置によれば、制御部が、接続されたセンサ部の数が上限に達すると、接続信号の送信を停止することにより、接続信号の送信にともなう不要な電力消費が発生してしまうことを抑制することができる。作動要求送信モードにおける電力消費を、より低減させることができる。
【発明の効果】
【００２５】
本発明の態様によれば、簡単な構成で、施工時の不要な時間の発生を抑えつつ、保管時の電池の消費をより抑えることができる吐水装置が提供される。
【図面の簡単な説明】
【００２６】
【図１】第１の実施形態に係る水栓装置を模式的に表す説明図である。
【図２】第１の実施形態に係る水栓装置を模式的に表すブロック図である。
【図３】第１の実施形態に係る水栓装置の動作の一例を模式的に表すタイミングチャートである。
【図４】水栓装置の参考の動作の一例を模式的に表すタイミングチャートである。
【図５】第２の実施形態に係る水栓装置を模式的に表すブロック図である。
【図６】第２の実施形態に係る水栓装置の動作の一例を模式的に表すタイミングチャートである。
【発明を実施するための形態】
【００２７】
以下、実施形態について図面を参照しつつ説明する。なお、各図面中、同様の構成要素には同一の符号を付して詳細な説明は適宜省略する。  
（第１の実施形態）  
図１は、第１の実施形態に係る水栓装置を模式的に表す説明図である。  
図１に表したように、水栓装置１０（吐水装置）は、対象物（人体や物体等）を検知して自動的な吐止水を行うものであり、洗面台に備え付けられる洗面器１１に対して吐止水を行う。
【００２８】
洗面器１１は、洗面カウンタ１２の上面に設けられる。洗面カウンタ１２の上には、洗面器１１のボウル面１１ａに対して水を吐出するためのスパウトを構成する水栓１３（吐水部）が設けられる。水栓１３は、水を吐出する吐水口１３ａを有し、この吐水口１３ａから吐出される水が洗面器１１のボウル面１１ａ内に吐出されるように設けられる。
【００２９】
水栓１３が吐水口１３ａから吐出する水は、給水路１４により供給される。給水路１４は、水道管等の給水源から供給される水を吐水口１３ａへと導く。洗面器１１には、排水路１５が接続されている。排水路１５は、吐水口１３ａから洗面器１１のボウル面１１ａ内に吐水された水を排出する。
【００３０】
水栓装置１０は、水栓１３及び給水路１４を備えるとともに、電磁弁１６（開閉弁）と、センサ部１８と、制御部２０と、発電部２２と、を備える。センサ部１８は、制御部２０と分離されている。センサ部１８は、例えば、水栓１３の内部に収容される。電磁弁１６及び制御部２０は、例えば、洗面台の下側に収容される。電磁弁１６及び制御部２０は、例えば、洗面カウンタ１２の下方に設けられるキャビネット（図示は省略）内に収容される。
【００３１】
センサ部１８と制御部２０とは、接続ケーブル１７で接続されている。制御部２０は、例えば、接続ケーブル１７を介してセンサ部１８に電源電圧を供給し、接続ケーブル１７を介してセンサ部１８を制御する。
【００３２】
電磁弁１６は、給水路１４に設けられ、給水路１４の開閉を行う。電磁弁１６が開くと、給水路１４から供給された水が吐水口１３ａから吐出される吐水状態となり、電磁弁１６が閉じると、給水路１４から供給された水が吐水口１３ａから吐出されない止水状態となる。
【００３３】
電磁弁１６は、制御部２０に接続されており、制御部２０は、電磁弁１６を駆動して開／閉動作を制御する。電磁弁１６は、制御部２０からの制御信号に従って電気的に制御され、給水路１４の開閉を行う。このように、電磁弁１６は、吐水口１３ａから吐水される水の給水路１４を開閉する開閉弁として機能する。
【００３４】
電磁弁１６は、いわゆるラッチング・ソレノイド・バルブと称される自己保持型電磁弁（ラッチ式電磁弁）であり、ソレノイドコイルへの一方向への通電によって閉状態から開状態に動作（開動作）し、その後ソレノイドコイルへの通電を遮断しても開状態を保持し、ソレノイドコイルへの他方向への通電によって開状態から閉状態に動作（閉動作）し、その後ソレノイドコイルへの通電を遮断しても閉状態を保持する。なお、給水路１４を開閉する開閉弁は、電磁弁１６に限ることなく、給水路１４を開閉可能な任意の開閉弁でよい。
【００３５】
センサ部１８は、吐水口１３ａに接近する対象物（手など）を検知する。この吐水口１３ａの吐水先が、センサ部１８の検知領域となる。センサ部１８は、光信号を送信し、送信した光信号を受けた人体等の対象物から反射した反射信号を受信することにより、対象物の位置や動き等を検知する。
【００３６】
センサ部１８は、例えば、赤外光の光信号を用いた光センサである。センサ部１８から送信される光信号は、例えば、可視光などでもよい。以下では、光信号を赤外光として説明を行う。なお、「赤外光」とは、例えば、０．７μｍ以上１０００μｍ以下の波長の光である。また、センサ部１８には、例えば、超音波センサやマイクロ波センサなどを用いてもよい。
【００３７】
センサ部１８は、水栓１３の吐水口１３ａ近くの内部に設けられ、洗面台の使用者側（図１において左側）に向けて光信号を送信するように配置される。これにより、センサ部１８は、吐水口１３ａに人体が近づいてきたことや、吐水口１３ａに近づいた人体から吐水口１３ａに向けて手が差し出されたこと等を検知可能にする。
【００３８】
センサ部１８は、対象物の検知結果を表す検知信号を接続ケーブル１７を介して制御部２０に入力する。制御部２０は、センサ部１８から入力された検知信号に基づいて、対象物の有無を検知する。制御部２０は、例えば、検知信号に基づいて、対象物の位置や動き等を検知する。そして、制御部２０は、この検知結果に基づいて電磁弁１６の開／閉動作を制御する。また、制御部２０は、センサ部１８に対して制御信号を出力して、センサ部１８のセンシング動作を制御する。
【００３９】
発電部２２は、例えば、水栓１３と電磁弁１６との間の給水路１４の経路上に設けられ、電磁弁１６を開いた際に、給水路１４を流れる水の流れを利用して発電を行う。発電部２２は、発電した電力を制御部２０に供給する。なお、発電部２２は、必要に応じて設けられ、省略可能である。
【００４０】
以上のように、本実施形態の水栓装置１０は、水栓１３と、給水路１４と、電磁弁１６と、センサ部１８と、制御部２０と、発電部２２と、を備え、センサ部１８の検知結果に基づいて制御部２０が制御することにより、電磁弁１６の開／閉動作が制御される。これにより、吐水口１３ａに接近する対象物の検知結果（洗面台の使用者の動き等）に応じた吐水を行う。制御部２０は、対象物の検知に応じて吐水を行い、対象物の非検知に応じて吐水を停止させる。すなわち、水栓装置１０では、使用者が吐水口１３ａの近くに手などを差し出している間、自動的に吐水が行われる。
【００４１】
また、センサ部１８は常に動作しているのではなく、センシングを必要とするタイミングに動作をするように、制御部２０が制御している。これにより、センサ部１８の消費電力を下げることができる。制御部２０は、例えば、使用者が不便に感じない程度にセンサ部１８のセンシング動作の頻度を下げる。これにより、水栓装置１０全体の低消費電力化を図ることができる。
【００４２】
図２は、第１の実施形態に係る水栓装置を模式的に表すブロック図である。  
図２に表したように、制御部２０は、接続部２０ａを有する。接続部２０ａは、接続ケーブル１７の一端に設けられた被接続部１７ａと接続される。センサ部１８は、被接続部１７ａを接続部２０ａと接続することにより、制御部２０と接続される。被接続部１７ａ及び接続部２０ａは、いわゆるコネクタである。
【００４３】
このように、センサ部１８は、被接続部１７ａ及び接続部２０ａの接続により、制御部２０から取り外された状態から制御部２０に接続可能である。センサ部１８は、製造工場などにおいて制御部２０から取り外された状態で保管され、制御部２０から取り外された状態で出荷される。そして、センサ部１８は、水栓装置１０の施工現場において制御部２０と接続される。
【００４４】
被接続部１７ａは、例えば、接続部２０ａに対して着脱可能である。換言すれば、センサ部１８は、例えば、制御部２０に対して着脱可能である。但し、センサ部１８は、制御部２０に接続した後、制御部２０から簡単には取り外しできない構成でもよい。
【００４５】
センサ部１８を制御部２０に接続可能とする構成は、上記に限ることなく、少なくとも制御部２０から取り外された状態のセンサ部１８を制御部２０に接続することができる任意の構成でよい。接続ケーブル１７は、センサ部１８と一体的に設けられていてもよいし、センサ部１８に対して着脱可能な構成としてもよい。接続ケーブル１７は、制御部２０側に設けてもよい。
【００４６】
図２に表したように、水栓装置１０は、蓄電部２４と、電池２６と、をさらに備える。蓄電部２４は、発電部２２で発電された電力を蓄電し、電磁弁１６、センサ部１８、及び制御部２０のそれぞれに給電する。電磁弁１６及びセンサ部１８への給電は、制御部２０を介して行われる。電磁弁１６及びセンサ部１８への給電は、例えば、蓄電部２４から直接的に行ってもよい。蓄電部２４には、例えば、コンデンサが用いられる。
【００４７】
電池２６は、蓄電部２４と接続され、蓄電部２４を充電することにより、蓄電部２４を介して電磁弁１６、センサ部１８、及び制御部２０のそれぞれに給電する。電池２６は、より詳しくは、一次電池である。
【００４８】
蓄電部２４及び電池２６は、例えば、制御部２０内に設けられる。換言すれば、蓄電部２４及び電池２６は、制御部２０と同じ筐体の内部に設けられる。但し、蓄電部２４及び電池２６は、それぞれ制御部２０とは別に設けてもよい。
【００４９】
このように、水栓装置１０では、発電部２２で発電された電力と電池２６の電力とによって電磁弁１６、センサ部１８、及び制御部２０を動作させる。これにより、水栓装置１０では、商用電源などからの電力供給を受けることなく、電磁弁１６、センサ部１８、及び制御部２０などの電装品を動作させることができる。
【００５０】
なお、発電部２２及び蓄電部２４を省略し、電池２６の電力を電磁弁１６、センサ部１８、及び制御部２０のそれぞれに直接的に給電してもよい。発電部２２及び蓄電部２４は、必要に応じて設けられ、省略可能である。但し、発電部２２及び蓄電部２４を設けることにより、電池２６から直接的に給電を行う場合と比べて、電池２６の消耗を抑制することができる。例えば、電池２６の交換を行うことなく、水栓装置１０を１０年以上動作させることができる。
【００５１】
電池２６は、例えば、工場内での製造の工程において水栓装置１０に設けられ、蓄電部２４と接続される。このため、蓄電部２４は、工場からの出荷の段階において、電池２６によって充電される。従って、制御部２０は、工場内での保管時や工場からの出荷時においても、蓄電部２４及び電池２６からの給電によって動作可能な状態となっている。一方、センサ部１８は、前述のように、制御部２０から取り外された状態で保管され、施工時に制御部２０と接続される。従って、センサ部１８は、施工時に制御部２０と接続された段階で、制御部２０から給電を受け、動作可能な状態となる。
【００５２】
図３は、第１の実施形態に係る水栓装置の動作の一例を模式的に表すタイミングチャートである。  
図３に表したように、センサ部１８は、制御部２０に接続信号を送信する接続信号送信モードを有する。センサ部１８は、蓄電部２４及び電池２６からの給電に応じて接続信号送信モードになる。換言すれば、センサ部１８は、制御部２０に接続した際に、接続信号送信モードになる。センサ部１８は、制御部２０に接続され、蓄電部２４及び電池２６からの給電を受けると、接続信号送信モードで起動し、制御部２０に接続信号を送信する。
【００５３】
制御部２０は、接続信号の受信を待機し、接続信号の受信に応答して接続応答信号をセンサ部１８に送信する接続信号受信モードを有する。制御部２０は、蓄電部２４及び電池２６からの給電に応じて接続信号受信モードになる。
【００５４】
また、制御部２０は、センサ部１８に作動要求を定期的に送信する作動要求送信モードを、さらに有する。制御部２０は、接続応答信号の送信に応答して、接続信号受信モードから作動要求送信モードに遷移する。作動要求は、例えば、光センサであるセンサ部１８に投光を要求する投光要求である。
【００５５】
センサ部１８は、作動要求の受信を待機し、作動要求の受信に応答して対象物の検知を行い、対象物の検知結果を制御部２０に送信する作動要求受信モードを、さらに有する。センサ部１８は、接続応答信号の受信に応答して、接続信号送信モードから作動要求受信モードに遷移する。これにより、センサ部１８と制御部２０との間の通信が確定される。
制御部２０は、センサ部１８から受信した検知結果に応じて電磁弁１６の開／閉動作を制御する。このように、水栓装置１０では、センサ部１８が作動要求受信モードにあり、制御部２０が作動要求送信モードにある状態において、水栓１３からの吐止水が切り替えられる。
【００５６】
前述のように、工場などでの保管時においては、制御部２０は、蓄電部２４及び電池２６からの給電によって動作可能な状態となっている。一方、センサ部１８は、制御部２０から取り外されており、動作していない。このため、制御部２０は、保管時においては、接続信号受信モードとなったままであり、施工時にセンサ部１８を制御部２０に接続することによって接続信号受信モードから作動要求送信モードに遷移する。
【００５７】
制御部２０は、接続信号受信モードにおいては、作動要求などの信号の出力を行わない。これにより、接続信号受信モードにおいては、制御部２０の消費電力を抑え、電池２６の消費を抑制することができる。保管時に制御部２０を接続信号受信モードとすることにより、保管時の電池２６の消費を抑制することができる。接続信号受信モードは、換言すれば、低消費モードである。接続信号受信モードでは、例えば、プロセッサなどからなる制御部２０をスリープモードに設定することができる。これにより、消費電力を適切に抑えることができる。
【００５８】
制御部２０の接続信号受信モードは、例えば、センサ部１８と制御部２０との間の通信におけるスレーブモードであり、センサ部１８の接続信号送信モードは、例えば、センサ部１８と制御部２０との間の通信におけるマスタモードである。そして、制御部２０の作動要求送信モードは、例えば、センサ部１８と制御部２０との間の通信におけるマスタモードであり、センサ部１８の作動要求受信モードは、例えば、センサ部１８と制御部２０との間の通信におけるスレーブモードである。
【００５９】
水栓装置１０では、例えば、センサ部１８の接続の有無によって、センサ部１８と制御部２０との間の通信のマスタとスレーブとの関係を入れ替える。これにより、水栓装置１０では、保管時における電池２６の消費を適切に抑制しつつ、水栓１３からの吐止水を適切に制御することができる。
【００６０】
図４は、水栓装置の参考の動作の一例を模式的に表すタイミングチャートである。  
図４に表したように、例えば、保管時にセンサ部１８を制御部２０から外しておき、制御部２０が、センサ部１８に対して定期的に作動要求を行う構成も考えられる。すなわち、保管時においても、制御部２０を通信のマスタモードとし、センサ部１８を通信のスレーブモードとしておく構成も考えられる。
【００６１】
この場合に、例えば、図４の期間Ｐ１の部分のように作動要求の送信の頻度を通常時と同じにしていると、制御部２０での電力消費が比較的大きくなり、保管時の電池２６の消費を抑えることが難しくなってしまう。
【００６２】
一方で、図４の期間Ｐ２の部分のように、制御部２０の消費電力の低減のために、保管時に作動要求の送信の頻度を落とすと、センサ部１８の接続のタイミングによっては最大で通信周期分、作動実施までの時間が必要となるため、施工に不要な時間がかかってしまう。また、外部スイッチを設け、外部スイッチの入力に応じて作動要求の送信の頻度を基に戻す方法も考えられるが、部品構成要素が増えてしまう。
【００６３】
これに対して、本実施形態に係る水栓装置１０では、センサ部１８が接続され、センサ部１８から接続信号が送信されるまで、制御部２０を接続信号受信モードにしておくことにより、保管時に制御部２０から作動要求を定期的に送信する構成などと比べて、制御部２０をより低消費電力にすることができる。そして、センサ部１８の接続に応じてセンサ部１８から接続信号を制御部２０に送信することにより、施工時に不要な時間が発生してしまうことも抑えることができる。さらに、スイッチなどを別途設ける必要もない。従って、簡単な構成で、施工時の不要な時間の発生を抑えつつ、保管時の電池の消費をより抑えることができる水栓装置１０を提供することができる。
【００６４】
また、水栓装置１０では、保管時にも蓄電部２４を電池２６によって充電しておくことができる。従って、蓄電部２４が設けられている場合にも、施工時に不用な待ち時間が発生してしまうことを抑制することができる。
【００６５】
また、水栓装置１０では、制御部２０が接続信号受信モードから作動要求送信モードに、センサ部１８が接続信号送信モードから作動要求受信モードに、それぞれ自動的に遷移することにより、施工者が各モードの切り替えなどを行う必要が無く、施工の作業性をより高めることができる。
【００６６】
なお、上記実施形態では、センサ部１８と制御部２０との通信が確定した後、センサ部１８と制御部２０との通信のマスタとスレーブとの関係を入れ替えている。これに限ることなく、例えば、通信が確定した後にも制御部２０をスレーブのままとし、マスタであるセンサ部１８から定期的に制御部２０に検知結果を送信する構成としてもよい。
【００６７】
（第２の実施形態）  
図５は、第２の実施形態に係る水栓装置を模式的に表すブロック図である。  
なお、上記第１の実施形態と機能・構成上実質的に同じものについては、同符号を付し、詳細な説明は、省略する。  
図５に表したように、水栓装置１０ａでは、制御部２０が、共通の通信ライン２０ｂを介して複数のセンサ部１８と接続可能である。
【００６８】
図５では、制御部２０が、３つのセンサ部１８と接続された例を図示している。以下では、制御部２０に対して最初に接続されるセンサ部１８を第１センサ部１８ａ、２番目に接続されるセンサ部１８を第２センサ部１８ｂ、３番目に接続されるセンサ部１８を第３センサ部１８ｃとして説明を行う。また、複数のセンサ部１８ａ〜１８ｃを区別しない場合には、これまでと同様にセンサ部１８と称す。なお、制御部２０に接続可能なセンサ部１８の数は、３つに限ることなく、２つでもよいし、４つ以上でもよい。制御部２０に接続可能なセンサ部１８の数は、任意の数でよい。
【００６９】
共通の通信ライン２０ｂとは、例えば、ＵＡＲＴ(Universal Asynchronous Receiver Transmitter)通信におけるＴＸＤ線及びＲＸＤ線や、Ｉ２Ｃ（Inter-Integrated Circuit）通信におけるＳＣＬ線及びＳＤＡ線などである。例えば、センサ部１８と制御部２０との間の通信規格が、ＵＡＲＴ通信である場合には、ＴＸＤ線及びＲＸＤ線が、複数のセンサ部１８に対して共通に用いられる。センサ部１８と制御部２０との間の通信規格が、Ｉ２Ｃ通信である場合には、ＳＣＬ線及びＳＤＡ線が、複数のセンサ部１８に対して共通に用いられる。但し、複数のセンサ部１８に共通に用いられる通信ライン２０ｂは、上記に限ることなく、センサ部１８と制御部２０との間の通信規格に応じた任意の通信ラインでよい。
【００７０】
図６は、第２の実施形態に係る水栓装置の動作の一例を模式的に表すタイミングチャートである。  
図６に表したように、水栓装置１０ａでは、センサ部１８が、接続信号送信モードにおいて、別のセンサ部１８が制御部２０と接続されているか否かを接続信号送信モードの開始から所定時間監視する（図６のタイミングｔ１〜ｔ２、及びタイミングｔ６〜ｔ７）。換言すれば、センサ部１８は、接続信号送信モードにおいて、別のセンサ部１８が制御部２０と接続されているか否かを制御部２０との接続から所定時間監視する。
【００７１】
センサ部１８は、例えば、制御部２０からの作動要求又は別のセンサ部１８からの検知結果が所定時間以内に通信ライン２０ｂ上に送信された場合に、別のセンサ部１８が接続されていると判断し、所定時間以内に送信されなかった場合に、接続されていないと判断する。従って、所定時間は、例えば、制御部２０が作動要求を送信する間隔よりも長く設定しておけばよい。
【００７２】
センサ部１８は、別のセンサ部１８が接続されていない場合に、制御部２０に接続信号を送信する（図６のタイミングｔ２）。制御部２０は、接続信号を受信すると、接続応答信号を送信し、作動要求送信モードに遷移する。センサ部１８は、接続応答信号を受信すると、作動要求受信モードに遷移する。これにより、最初の第１センサ部１８ａと制御部２０との間の通信が確定される（図６のタイミングｔ３）。
【００７３】
制御部２０は、作動要求送信モードに遷移すると、第１センサ部１８ａに対して第１作動要求を定期的に送信する（図６のタイミングｔ４）。制御部２０は、例えば、第１センサ部１８ａに対応する識別情報を作動要求に含めることによって第１作動要求を生成する。これにより、制御部２０は、第１センサ部１８ａのみが第１作動要求を受信できるようにする。第１センサ部１８ａは、第１作動要求を受信すると、対象物の検知を行い、対象物の検知結果を制御部２０に送信する（図６のタイミングｔ５）。これにより、制御部２０において、第１センサ部１８ａの検知結果に基づく制御が実行される。
【００７４】
一方、センサ部１８は、別のセンサ部１８が接続されている場合に、接続信号を送信することなく接続信号送信モードから作動要求受信モードに遷移する（図６のタイミングｔ７）。
【００７５】
制御部２０は、作動要求送信モードにおいて、接続が確定されたセンサ部１８に作動要求を定期的に送信するとともに、センサ部１８に接続信号を定期的に送信する（図６のタイミングｔ８）。
【００７６】
センサ部１８は、接続信号を送信することなく作動要求受信モードに遷移した場合、作動要求受信モードにおいて制御部２０からの接続信号を受信し、接続信号の受信に応答して接続応答信号を制御部２０に送信する（図６のタイミングｔ９）。これにより、２番目の第２センサ部１８ｂと制御部２０との間の通信が確定される。
【００７７】
制御部２０は、第２センサ部１８ｂから接続応答信号を受信すると、第１センサ部１８ａに対する第１作動要求を定期的に送信するとともに、第２センサ部１８ｂに対する第２作動要求を定期的に送信する（図６のタイミングｔ１０）。
【００７８】
第２センサ部１８ｂは、第２作動要求を受信すると、対象物の検知を行い、対象物の検知結果を制御部２０に送信する（図６のタイミングｔ１１）。これにより、制御部２０において、第２センサ部１８ｂの検知結果に基づく制御が実行される。
【００７９】
制御部２０は、３番目の第３センサ部１８ｃに対しても第２センサ部１８ｂと同様の処理を行う。これにより、３番目の第３センサ部１８ｃと制御部２０との間の通信が確定され、制御部２０において、第３センサ部１８ｃの検知結果に基づく制御が実行される。
【００８０】
また、制御部２０は、接続されたセンサ部１８の数が上限に達すると、接続信号の送信を停止する。すなわち、この例では、制御部２０は、第３センサ部１８ｃとの通信を確定し、接続されたセンサ部１８の数が３つに達した場合に、接続信号の送信を停止する。
【００８１】
以上、説明したように、水栓装置１０ａでは、制御部２０に複数のセンサ部１８を接続可能とすることで、対象物をより正確に検知したり、様々な対象物を検知したりすることを可能にし、水栓装置１０ａの機能性をより向上させることができる。
【００８２】
なお、複数のセンサ部１８を制御部２０に接続する場合に、センサ部１８をマスタとし、制御部２０をスレーブとすると、複数のセンサ部１８からの信号の送信のタイミングを制御することが難しくなる。従って、複数のセンサ部１８を制御部２０に接続する場合には、上記のように、１つ目のセンサ部１８との接続が確定した段階で、センサ部１８をスレーブとし、制御部２０をマスタとすることが好ましい。
【００８３】
また、水栓装置１０ａでは、別のセンサ部１８が既に接続されている場合に、センサ部１８が、接続信号を送信することなく接続信号送信モードから作動要求受信モードに遷移する。これにより、別のセンサ部１８の接続によって制御部２０が既に作動要求送信モードに遷移している場合にも、制御部２０と複数のセンサ部１８との間の通信を適切に行うことができる。例えば、新たに接続されたセンサ部１８からの接続信号が、制御部２０と複数のセンサ部１８との間の通信の妨げとなってしまうことを抑制することができる。
【００８４】
また、水栓装置１０ａでは、作動要求送信モードに遷移した制御部２０が定期的に接続信号を送信することで、特別な操作を行うことなく、より簡単に複数のセンサ部１８を制御部２０に接続することが可能となる。
【００８５】
さらに、水栓装置１０ａでは、制御部２０が、接続されたセンサ部１８の数が上限に達すると、接続信号の送信を停止する。これにより、接続信号の送信にともなう不要な電力消費が発生してしまうことを抑制することができる。作動要求送信モードにおける電力消費を、より低減させることができる。
【００８６】
なお、上記各実施形態では、吐水装置として水栓装置１０、１０ａを表している。吐水装置は、水栓装置に限ることなく、例えば、大便器を用いたトイレ装置や、小便器を用いたトイレ装置などでもよい。吐水装置は、これらに限ることなく、対象物の検知を行って吐止水を制御する任意の吐水装置でよい。
【００８７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、水栓装置１０、１０ａなどが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８８】
１０、１０ａ 水栓装置（吐水装置）、  １１ 洗面器、  １１ａ ボウル面、  １２ 洗面カウンタ、  １３ 水栓（吐水部）、  １３ａ 吐水口、  １４ 給水路、  １５ 排水路、  １６ 電磁弁、  １７ 接続ケーブル、  １７ａ 被接続部、  １８、１８ａ〜１８ｃ センサ部、  ２０ 制御部、  ２０ａ 接続部、  ２０ｂ 通信ライン、  ２２ 発電部、  ２４ 蓄電部、  ２６ 電池
【図１】
2020007845.tif 000003
【図２】
2020007845.tif 000004
【図３】
2020007845.tif 000005
【図４】
2020007845.tif 000006
【図５】
2020007845.tif 000007
【図６】
2020007845.tif 000008